【事件の表示】
　特許第２７９２６４２号「可聴振動を減衰させるゴルフクラブヘッド」の請求項１ないし２９に係る特許に対する特許異議の申立てについて、次のとおり決定する。
【結論】
　訂正を認める。
　特許第２７９２６４２号の請求項１ないし５に係る特許を維持する。
【理由】
１．手続きの経緯
　本件特許第２７９２６４２号の請求項１〜２９に係る発明は、平成６年９月１３日（パリ条約による優先権主張１９９３年９月１３日、米国）に特許出願され、平成１０年６月１９日にその特許権の設定登録がなされ、その後、村戸良至及びブリヂストンスポーツ株式会社よりそれぞれ特許異議の申立てがなされ、取消理由通知がなされ、その指定期間内である平成１１年９月２４日に訂正請求がなされたものである。
２．訂正請求について
２−１．訂正請求の趣旨及び訂正事項
　訂正請求の趣旨は、本件特許第２７９２６４２号の明細書を訂正請求書に添付した訂正明細書のとおり訂正することを求めるものであり、その訂正事項は、以下のとおりである。
▲１▼訂正事項ａ
　ア．特許権設定登録時の明細書（以下、単に「特許明細書」という。）特許請求の範囲の請求項１、５、８−２９を削除し、
　イ．特許明細書特許請求の範囲の請求項４を請求項１とし、
　ウ．特許明細書特許請求の範囲の請求項２、３を訂正された請求項１に従属させ、
　エ．特許明細書特許請求の範囲の請求項６，７を請求項４、５として、
特許請求の範囲を以下のとおり訂正する。
「　【請求項１】ヒールと、トウと、上面と、底面を画成しているソールと、上方後方へ傾斜したフェイスを画成している正面壁部と、を備えた本体部を有するゴルフクラブヘッドにおいて、
　ａ）前記本体部が主凹部を画成しており、該主凹部は、前方へ向かって窪んだ形状であって、前記正面壁部の背後に位置しており、
　ｂ）前記本体部が更にアンダーカット凹部を画成しており、該アンダーカット凹部は、
　　ｉ）前記上面と、
　　ｉｉ）前記底面と、
　　ｉｉｉ）前記トウと、
　　ｉｖ）前記ヒールと、
のうちの少なくとも１つへ向かって前記主凹部から外方へ張り出した形状であって、前記正面壁部の直後に位置しており、
　ｃ）前記正面壁部がゴルフボールと衝突するときに発生する可聴振動を減衰させるための減衰手段を、前記主凹部の前端部分の前記正面壁部に設け、
　ｄ）前記減衰手段が、薄板と、該薄板を前記正面壁部に貼着するための粘着剤ないし接着剤とを含んでいることを特徴とするゴルフクラブヘッド。
　　【請求項２】前記正面壁部が背面を有しており、前記減衰手段が該背面に取付けられて前記主凹部及び前記アンダーカット凹部へ完全に露出していることを特徴とする請求項１記載のゴルフクラブヘッド。
　　【請求項３】前記アンダーカット凹部が前記減衰手段の周囲に延在していることを特徴とする請求項１記載のゴルフクラブヘッド。
　　【請求項４】前記薄板が外周縁部を有しており、前記正面壁部の前記背面には浅く窪ませた凹部を形成してあり、該凹部に、前記薄板を、該薄板の前記外周縁部がぴったりと収まるようにして収容していることを特徴とする請求項２記載のゴルフクラブヘッド。
　　【請求項５】前記薄板が、幅広の中央部分と、夫々に略々前記ヘッドの前記トウと前記ヒールとへ向かって両側へ突出した２つのウイング部とを有することを特徴とする請求項２記載のゴルフクラブヘッド。」と訂正する。
▲２▼訂正事項ｂ
　特許明細書の段落【０００５】を、
「　【課題を解決するための手段】
　本発明の主目的の１つは、アイアンクラブのストロークの際に運動量をボールへ遅延伝達したいという要望に応えることができ、可聴振動を減衰させることができ、更には、ヘッドの耐捩れ性を向上させることのできる、改良したアイアンクラブのヘッド構造を提供することにある。基本的に本発明は、ヘッドの金属製の本体部の構造として具体化されるものであり、その本体部は、ヘッドの正面壁部の後方に位置して互いに交わる２つの凹部を画成する。それら２つの凹部は、ヘッドのフェイスの周辺領域に近接した位置から該周辺領域の後方へ向かって突出した、ヘッドの金属材料から成る後方突出部によって画成される。このヘッドは、具体的には、例えば次の特徴を備えたものである。
　ａ）前記本体部が主凹部を画成しており、該主凹部は、前方へ向かって窪んだ形状であって、前記正面壁部の背後に位置していること。
　ｂ）前記本体部が更にアンダーカット凹部を画成しており、該アンダーカット凹部は、
　　ｉ）前記上面と、
　　ｉｉ）前記底面と、
　　ｉｉｉ）前記トウと、
　　ｉｖ）前記ヒールと、
のうちの少なくとも１つへ向かって前記主凹部から外方へ張り出した形状であって、前記正面壁部の直後に位置していること。
　ｃ）更に、前記正面壁部がゴルフボールと衝突するときに発生する可聴振動を減衰させるための減衰手段を、前記主凹部の前端部分の、前記正面壁部に設けたこと。
　ｄ）前記減衰手段は、薄板と、該薄板を前記正面壁部の前記背面へ貼着する粘着剤ないし接着剤とを含む。」と訂正する。
▲３▼訂正事項ｃ
　特許明細書の段落【０００６】を、
「前記正面壁部の前記背面には、それら薄板及び粘着剤ないし接着剤を収容するための凹部を形成するようにしても良い。更に、前記アンダーカット凹部は、前記減衰手段の前記薄板の周縁部から離れて、前記上面と前記底面との両方へ向かって、また、前記トウと前記ヒールとへ向かって、前記主凹部と交わった部分から外方へ張り出すように形成し、それによって前記アンダーカット凹部が前記主凹部の境界にそって延在するようにしても良い。この構造は更に、前記本体部のうちの前記アンダーカット凹部より後方にある金属材料の部分の運動量が、このヘッドの周辺領域を介して前方へ、従って前記正面壁部及び前記フェイスへ伝達するのを僅かに遅らせるのに役立っている。尚、後に説明するように、スリットを設けることによって、ヘッドの周辺領域が局部的にのみ存在するようにしても良い。」と訂正する。
２−２．訂正の目的の適否、新規事項の有無、拡張・変更の存否及び独立特許要件の判断
　上記訂正事項ａは、
　ア．については、特許明細書特許請求の範囲の請求項１、５、８−２９を削除するものであるから、特許請求の範囲の減縮を目的とするものであり、
　イ．については、従属形式で記載された特許明細書特許請求の範囲の請求項４を独立形式で記載し請求項１とするものであるから、明りょうでない記載の釈明を目的とするものであり、
　ウ．については、訂正後の請求項２、３は、実質的に構成が限定されるから、特許請求の範囲の減縮を目的とするものであり、
　エ．については、特許明細書特許請求の範囲の請求項１、５の削除及び請求項４を請求項１とする訂正に伴うものであるから、明りょうでない記載の釈明を目的とするものである。
　上記訂正事項ｂ、ｃは、上記訂正事項ａの特許請求の範囲の訂正に伴い、対応する発明の詳細な説明の記載を整合させるための訂正であり、明りようでない記載の釈明を目的とするものである。
　また、上記訂正事項ａ〜ｃの訂正は、それぞれ願書に添付した明細書又は図面に記載した事項の範囲内のものであり、実質上特許請求の範囲を拡張し、又は変更するものではない。
　さらに、訂正請求書に添付された訂正明細書の特許請求の範囲に記載された発明は、後述する「３．特許異議申立てについて」の「３−５．当審の判断」でしたように、取消理由及び特許異議申立ての理由では、それぞれ特許を受けることができないとすることができず、また、他に独立して特許を受けることができないとする理由も発見しないから、特許出願の際独立して特許を受けることができるものである。
２−３．むすび
　以上のとおりであるから、上記訂正請求は、特許法等の一部を改正する法律（平成６年法律第１１６号）附則第６条第１項の規定によりなお従前の例によるとされる、特許法第１２０条の４第２項、同条第３項で準用する同法第１２６条第２〜４項の規定に適合し、当該訂正は認められる。
３．特許異議申立てについて
３−１．本件発明
　本件請求項１〜５に係る発明は、訂正請求書に添付された訂正明細書の特許請求の範囲に記載されたとおりのもの（上記「▲１▼訂正事項ａ」参照。）である。
３−２．特許異議申立ての理由の概要
　特許異議申立人　村戸良至は、甲第１号証（下記《刊行物１》特開昭６３−１９１６８号公報）、甲第２号証（下記《刊行物２》実願平２−６９５７６号（実開平４−２７９５７号）のマイクロフィルム）、甲第３号証（下記《刊行物３》実願平４−６０７４９号（実開平５−２８３６１号）のＣＤ−ＲＯＭ）を提出し、特許明細書の請求項１〜２９に係る発明は、特許法第２９条第１項第３号及び特許法第２９条第２項の規定により特許を受けることができないものである旨主張し、
　特許異議申立人　ブリヂストンスポーツ株式会社は、甲第１号証（下記《刊行物４》実願昭５１−１５０４４号（実開昭５２−１０８１５９号）のマイクロフィルム）、甲第２号証（下記《刊行物５》米国特許第５，１０４，４５７号明細書）、甲第３号証（下記《刊行物６》特開昭６２−９７５７１号公報）、甲第４号証（下記《刊行物７》特開昭６２−２３３１７６号公報）、甲第５号証（下記《刊行物８》実願昭５４−８８５３４号（実開昭５６−６４７１号）のマイクロフイルム）、甲第６号証（下記《刊行物９》実願平１−１４０１９３号（実開平３−７８５７３号）のマイクロフィルム）、甲第７号証（下記《刊行物１０》日本音響学会編、音響工学講座▲５▼、「騒音・振動（下）」（１９９３−６−３０）コロナ社）、甲第８号証（下記《刊行物１》特開昭６３−１９１６８号公報）を提出し、特許明細書の請求項１〜６、８〜１３、１６〜２０、２２〜２７、２９に係る発明は、特許法第２９条第２項の規定により特許を受けることができないものである旨主張している。
３−３．取消理由通知の概要
　特許明細書の請求項１〜３、請求項１３〜２１に係る発明は、刊行物１（特開昭６３−１９１６８号公報）に記載された発明に基いて当業者が容易に発明をすることができたものであるから、特許明細書の請求項１〜３、請求項１３〜２１に係る発明の特許は、特許法第２９条第２項の規定に違反してなされたものであり、
特許明細書の請求項１２に係る発明における「スリット」は、図面に記載がなく、明細書の記載のみではその構成が不明確であるから、特許明細書の請求項１２に係る発明の特許は、特許法第３６条第４、５項の規定に違反してなされたものである。
３−４．刊行物に記載の発明
《刊行物１》特開昭６３−１９１６８号公報
　特許請求の範囲第１〜４行には、
「金属材料からなるヘッド本体の打球面部に対応する裏面部側に凹部を形成し、かつこの凹部の打球面部に対応する平坦な面に繊維強化部材を添設してなるとともに、」、
　第２頁左下欄第１６行〜右下欄第１８行には、
「図中１は、例えばステンレススチール、鋳鉄あるいは真楡等の金属材料からなるヘッド本体で、その打球面部２が所定のロフト角を呈するように上端縁のブレード部１ａから下端縁のソール面部３にかけて肉厚を拡大させてなる断面三角形状を有している。・・・このヘッド本体１の打球面部２に対応する打球方向の裏面部側には、凹部４がほぼ全面に亘って形成され、この凹部４の前記打球面部２に対応する面４ａを平坦にして、・・・前記凹部４の平坦な面４ａ側の内周縁には、オーバーハング部５が全周または部分的に形成されている。このオーバーハング部５には、前記ヘッド本体１の裏面部側に形成した凹部４の打球面部２に対応する面４ａに密着状態で接合させて添設された例えばＣＦＲＰなどの高弾性率材料からなる繊維強化部材６の外周縁部６ａがその脱落を防止し得るように嵌め合わせ係着し、このような繊維強化部材６の前記凹部４への接合により、ヘッド打球面相当部が金属板とＣＦＲＰなどの高弾性率材料との２重の複合積層構造になるように構成されている。」、
　第３頁左上欄第１３〜１９行には、
「ヘッド本体１の裏面部側に開口する凹部４の平坦な面４ａに繊維強化部材の成形用材料であるＦＲＰ成形用生材１１を添付し充填するとともに、前記ヘッド本体凹部４の平坦な面４ａの周縁に形成したオーバーハング部５に、前記ＦＲＰ成形用生材１１の一部を食い込ませる」、
　第３頁左下欄第１３行〜最下行には、
「上記したこの発明に係るクラブヘッドの構成によれば、・・・打球時の衝撃に対して、規定された適合範囲内で可動な状態を維持し、このヘッド中央部分の可動による衝撃を、バックアップする高弾性利率材料である繊維強化部材６が吸収して、その反作用によって高い反発力を生み出す」と記載され、
　図面第１、２図には、
「ヒールと、トウと、上面と、底面を画成しているソールと、上方後方へ傾斜したフェイスを画成している打球面部２と、を備えた本体部を有するゴルフクラブヘッド」が記載されている。
《刊行物２》実願平２−６９５７６号（実開平４−２７９５７号）のマイクロフィルム
　実用新案登録請求の範囲には、
「１．ゴルフクラブヘッドに設けられた凹部に合成樹脂製表示パネルを嵌着したことを特徴とするゴルフクラブヘッド。
・・・・・・・・・・中略・・・・・・・・・・
　３．前記凹部がフェイス面の裏側に設けられた凹部である」、
　明細書第６頁下から２行〜第７頁第５行には、
「本考案に係る表示パネルに使用する合成樹脂は特に制限されず、打球時の衝撃等に耐え得る高強度のものであればよい。
　・・・凹部に上記表示パネルを嵌着する方法は任意であり、例えばあらかじめ作成しておいた表示パネルを凹部に接着しても、・・・よい。」と記載されている。
《刊行物３》実願平４−６０７４９号（実開平５−２８３６１号）のＣＤ−ＲＯＭ
　実用新案登録請求の範囲には、
「【請求項１】実質的に平坦なクラブフェイス前面を持ったボデイと、クラブフェイス前面に取り付けられ、溝が形成された打撃プレートと、クラブフェイス前面と打撃プレートとの間に挟まれた弾性層とを具備し、前記弾性層は・・・・・減衰率を有する粘弾性シートであるゴルフクラブヘッド。
　【請求項２】前記打撃プレートと粘弾性層とクラブフェイス前面は、それぞれ互いに接着して取り付けられている」、
　段落【００１６】には、
「粘弾性材料は、エネルギーが熱となって逃げることにより振幅の大きさを抑制する。」、
　段落【００１９】には、
「粘弾性シート１０は、外側のボデイ前面と打撃プレートの後面とにうまく取り付けることができるように、両面に接着剤が塗布されている。」、
　段落【００２６】には、
「ボールを打つことによって発生する振動が効果的に吸収され、プレイヤーに快適さを保証する。」と記載されている。
《刊行物４》実願昭５１−１５０４４号（実開昭５２−１０８１５９号）のマイクロフィルム）
　第２頁第１２行〜第３頁第１４行には、
「アイアンクラブのヘッド１の背面にプレートを挿嵌するため・・・凹部２を設ける。該凹部の最下部はプレートが打撃の際の衝撃でアイアンクラブのヘッドより離脱しないようにするために断面形状が逆レ字形の溝４を設けてある。
　プレート５は金属板又はプラスチック板で作られ、その表面にはアイアンクラブに関するトレードマーク等の文字、図形が描かれ、プレート最下部６は断面形状が逆レ字形をしていてヘッド背面の凹部の溝４と嵌合するようになっている。該プレートは単に文字、図形を表示するためのみではなくアイアンクラブのウエイト調整を行なう機能も合せて有している。
　そして、プレートをアイアンクラブのヘッドの背面の凹部に挿入するに際しては、プレートの背面に接着剤を塗布し、凹部の最下部の逆レ字形の溝４にプレート最下部６を嵌合し両者を圧接固着する。さらにプレートの上端部とアイアンクラブのヘッドとの間に止メピン７を圧入してプレートをアイアンクラブのヘッドに固着し、打撃の際の衝撃によっても離脱しないようにする。」と記載されている。
《刊行物５》米国特許第５，１０４，４５７号明細書
　第２欄第３０〜５３行には、
「本発明の方法による鋳造ゴルフクラブヘッドを・・・示す。このゴルフクラブヘッドは、周囲ウエイト付けタイプの６番アイアンである。このゴルフクラブヘッドは、ブレード１０と、ネック１４のところでブレード１０に連結されたホーゼル１２とを有する。・・・・・・・・・・・・・・・・
　ブレード１０の前面は打撃面を形成し、この打撃面には、通常の一連の平行な溝がある。
　ブレード１０の後面には、中央の、全体的に長円形の凹部が有り、・・・・・すなわち、ヘッドのウエイトは、ブレードの周囲に集められている。・・・凹部２０のベース２８は平らである。このベース２８には、・・・薄い円形くぼみ３０が形成されている。
　第１図は、円形エンブレム３２を示し、この円形エンブレム３２の１つの主面３４は、全体的に平らである。この円形エンブレム３２の反対側の主面３４には、浮き出した文字が有り、この場合には、暗い背景の上に文字「ＡＢ」がある。・・・エンブレム３２の直径は、それがキャビティ２０の内側のくぼみ３０にぴったりと嵌まるように選ばれる。
　エンブレム３２は、・・・適当な強力接着剤を使用して、くぼみ３０の中に打ち込まれる。」と記載されている
《刊行物６》特開昭６２−９７５７１号公報
　第２頁左下欄第７〜１１行には、
「この発明は、・・・ヘッド本体の打球面部に対応する裏面側にＦＲＰを全面に亘って密着させて裏打ちすることができるようにしたゴルフ用アイアンクラブの製法を提供することにある。」、
　第３頁左上欄第１８行〜右上欄第１０行には、
「このヘッド本体１の打球面部、すなわち、金属薄板からなる打球面部２の打球方向の裏面側には、打球面部２の厚さがヘッド本体の上縁部１ａ及びソール部１ｂの厚さより薄くなるように凹部３が形成され、該凹部３の打球面部２に対応する面３ａを平坦にして、この平坦な面３ａの周縁部にオーバーハング部４を形成するとともに、このオーバーハング部４にその外周縁部５ａを嵌合させたＣＦＲＰなどの高弾性率材料からなる板状の繊維強化部材５が密着状態で添付され、これにより、ヘッド打球面相当部が金属板とＣＦＲＰとの２重の複合積層構造になるように構成されている。」、
　第４頁右上欄第１６行〜左下欄第２行には、
「オーバーハング部の形成は、ＦＲＰ板の周囲全長に設けることが好ましいが、必ずしもそれに限ることなくヘッド上下部分又はヘッド前後部分のみに設けることも可能である。また、それらは、必ずしも連続に設けるものとは限らず、不連続に設けることも可能である。」と記載されている。
《刊行物７》特開昭６２−２３３１７６号公報
　第２頁左下欄第３行〜右下欄第３行目には、
「ワックス成型品を形成する金型１０は、上型１１および下型１２から構成されている。上型１１には前記ヘッド３の裏側部分のキャビティ１３が形成されるとともに下型１２には前記ヘッド３のフェース１部分およびソケット４のキャビティ１４が形成されている。上記上型１１は型本体１１ａと置中子１１ｂとから構成され、・・・・・置中子１１ｂは前記ヘッド３の重心調整用の凹部２を形成するためのもので、ワックスの注入が終了して硬化するまで型本体１１ａに固定されており、離型時に・・・型本体１１ａと分離され、・・・型本体１１ａの脱型後、ワックス成型品１５から取り外される。
　このように、置中子１１ｂを設ければ、ヘッド３の凹部２の形状、すなわち、・・・凹部２の最深部の角度θを９０°以下の任意の角度に設定したクラブヘッドのワックス成型品を得ることができる。その結果、ロストワックス法においては、ワックス成型品が得られれば、どのような形状の鋳造品も形成することができる」と記載されている。
《刊行物８》実願昭５４−８８５３４号（実開昭５６−６４７１号）のマイクロフイルム
　第１０頁第７〜１６行には、
「クラブヘッド４０はインベストメント鋳造技術で一体に鋳造する。・・・・・クラブヘッドの本体の上側縁４６より下側縁４７に至る迄打撃面の後側にスロツト４９を延在せしめ、これによって打撃板５０を形成する。」、
　第２２頁第１〜１４行には、
「本考案によるクラブヘッドでは衝突によるインパクトエネルギーは打撃板のある面積内にわたりひずみエネルギーとして蓄えられ、この蓄積エネルギーはインパクト後約１／３ミリ秒に生ずるボールのはね返りの際に放出される。・・・・・・・・・
　本考案によるクラブヘッドではインパクトの持続時間も増加し、クラブヘッドがボールにエネルギーを伝達する時間が大となる。この結果ボールに対し一般に高い軌道と高い速度を与える。」と記載されている。
《刊行物９》実願平１−１４０１９３号（実開平３−７８５７３号）のマイクロフィルム
　第４頁第１９行〜第５頁第４行には、
「バランスウェイト９は鉛板等の軟質金属板から成り、片面に両面接着テープ１０又は接着剤が設けられている。このバランスウェイト９をクラブヘッド８に接着するには、クラブヘッド８の背面（クラブフェイスと反対側の面）に指でバランスウェイト９を押付けて貼付ける。」と記載されている。
《刊行物１０》日本音響学会編、音響工学講座▲５▼、「騒音・振動（下）」（１９９３−６−３０）コロナ社
　第２０頁の下から第６〜５行には、
「振動して音を放射する箇所には，あらかじめダンピング処理をしたダンピング鋼板が使用される．」と記載されている。
３−５．当審の判断
　特許明細書の特許請求の範囲の請求項１〜２９に係る発明のうち、請求項１、５、８−２９に係る発明は、訂正請求により削除されたから判断する必要はなく、請求項４、２、３、６、７に係る発明は、訂正請求によりそれぞれ本件請求項１、２、３、４、５に係る発明となったから、これらの発明について、以下、検討・判断する。
　本件請求項１に係る発明と上記刊行物１に記載の発明とを対比すると、
後者の「打球面部２」、「凹部４」、「オーバーハング部５」は、前者の「正面壁部」、「主凹部」、「アンダーカット凹部」にそれぞれ相当すると認められ、
後者の「繊維強化部材６」は、打球面部２がゴルフボールと衝突するときに発生する可聴振動を減衰させる機能を有すると認められるので、前者の「可聴振動を減衰させるための減衰手段」に相当すると認められ、
両者は、以下の点で相違する他は一致するものと認められる。
（相違点）
　正面壁部がゴルフボールと衝突するときに発生する可聴振動を減衰させるための減衰手段が、前者は、「薄板と、該薄板を正面壁部に貼着するための粘着剤ないし接着剤とを含んでいる」のに対して、
後者は、「凹部４（主凹部）に充填され、オーバーハング部５（アンダーカット凹部）により脱落を防止された繊維強化部材６」である点。
　そこで、上記相違点について検討すると、上記刊行物３には、「クラブフェイス前面と打撃プレートとの間に、接着剤で接着して取り付けられた粘弾性シートにより、ボールを打つことによって発生する振動が効果的に吸収される」旨記載され、この記載における「粘弾性シートと接着剤」は、打撃プレートがゴルフボールと衝突するときに発生する可聴振動を減衰させる機能を有すると認められるので、本件請求項１に係る発明の「薄板と粘着剤ないし接着剤」に相当すると認められるが、甲第１号証記載のものにおいて、「繊維強化部材６」に代えて「粘弾性シート」を「接着剤」で接着すると、「繊維強化部材６」の脱落を防止する「オーバーハング部５（アンダーカット凹部）」は必要ないものとなるから、上記刊行物１に記載の発明に上記刊行物３に記載の発明を適用しても、本件請求項１に係る発明の構成とはならない。
　また、上記刊行物２、４〜１０のいずれにも、上記相違点における本件請求項１に係る発明の構成は記載されておらず、また、その構成を示唆する記載もない。
　したがって、本件請求項１に係る発明は、上記刊行物１〜１０に記載された発明であるとも、また、上記刊行物１〜１０に記載された発明に基いて当業者が容易に発明をすることができたものであるともいうことはできない。
　また、本件請求項２〜５に係る発明は、本件請求項１に係る発明を引用したものであるから、上記本件請求項１に係る発明と同じ理由により、上記刊行物１〜１０に記載された発明であるとも、また、上記刊行物１〜１０に記載された発明に基いて当業者が容易に発明をすることができたものであるともいうことはできない。
３−６．むすび
　以上のとおりであるから、特許異議申立ての理由及び証拠によっては、本件請求項１〜５に係る発明の特許を取り消すことはできない。
　また、他に本件請求項１〜５に係る発明の特許を取り消すべき理由を発見しない。
　よって、結論のとおり決定する。
【異議決定日】
平成１１年１１月１５日（１９９９．１１．１５）
【訂正の要旨】
　本件特許第２７９２６４２号の訂正事項は、以下のとおりである。
〔Ｉ〕特許請求の範囲の減縮及び明瞭でない記載の釈明を目的として、特許明細書特許請求の範囲を以下のとおりに訂正する。
「　【請求項１】ヒールと、トウと、上面と、底面を画成しているソールと、上方後方へ傾斜したフェイスを画成している正面壁部と、を備えた本体部を有するゴルフクラブヘッドにおいて、
　ａ）前記本体部が主凹部を画成しており、該主凹部は、前方へ向かって窪んだ形状であって、前記正面壁部の背後に位置しており、
　ｂ）前記本体部が更にアンダーカット凹部を画成しており、該アンダーカット凹部は、
　　ｉ）前記上面と、
　　ｉｉ）前記底面と、
　　ｉｉｉ）前記トウと、
　　ｉｖ）前記ヒールと、
のうちの少なくとも１つへ向かって前記主凹部から外方へ張り出した形状であって、前記正面壁部の直後に位置しており、
　ｃ）前記正面壁部がゴルフボールと衝突するときに発生する可聴振動を減衰させるための減衰手段を、前記主凹部の前端部分の前記正面壁部に設け、
　ｄ）前記減衰手段が、薄板と、該薄板を前記正面壁部に貼着するための粘着剤ないし接着剤とを含んでいることを特徴とするゴルフクラブヘッド。
　　【請求項２】前記正面壁部が背面を有しており、前記減衰手段が該背面に取付けられて前記主凹部及び前記アンダーカット凹部へ完全に露出していることを特徴とする請求項１記載のゴルフクラブヘッド。
　　【請求項３】前記アンダーカット凹部が前記減衰手段の周囲に延在していることを特徴とする請求項１記載のゴルフクラブヘッド。
　　【請求項４】前記薄板が外周縁部を有しており、前記正面壁部の前記背面には浅く窪ませた凹部を形成してあり、該凹部に、前記薄板を、該薄板の前記外周縁部がぴったりと収まるようにして収容していることを特徴とする請求項２記載のゴルフクラブヘッド。
　　【請求項５】前記薄板が、幅広の中央部分と、夫々に略々前記ヘッドの前記トウと前記ヒールとへ向かって両側へ突出した２つのウイング部とを有することを特徴とする請求項２記載のゴルフクラブヘッド。」と訂正する。
〔ＩＩ〕明りようでない記載の釈明を目的として、特許明細書の段落【０００５】及び段落【０００６】の記載を、
「　　【０００５】
　　【課題を解決するための手段】
　本発明の主目的の１つは、アイアンクラブのストロークの際に運動量をボールへ遅延伝達したいという要望に応えることができ、可聴振動を減衰させることができ、更には、ヘッドの耐捩れ性を向上させることのできる、改良したアイアンクラブのヘッド構造を提供することにある。基本的に本発明は、ヘッドの金属製の本体部の構造として具体化されるものであり、その本体部は、ヘッドの正面壁部の後方に位置して互いに交わる２つの凹部を画成する。それら２つの凹部は、ヘッドのフェイスの周辺領域に近接した位置から該周辺領域の後方へ向かって突出した、ヘッドの金属材料から成る後方突出部によって画成される。このヘッドは、具体的には、例えば次の特徴を備えたものである。
　ａ）前記本体部が主凹部を画成しており、該主凹部は、前方へ向かって窪んだ形状であって、前記正面壁部の背後に位置していること。
　ｂ）前記本体部が更にアンダーカット凹部を画成しており、該アンダーカット凹部は、
　　ｉ）前記上面と、
　　ｉｉ）前記底面と、
　　ｉｉｉ）前記トウと、
　　ｉｖ）前記ヒールと、
のうちの少なくとも１つへ向かって前記主凹部から外方へ張り出した形状であって、前記正面壁部の直後に位置していること。
　ｃ）更に、前記正面壁部がゴルフボールと衝突するときに発生する可聴振動を減衰させるための減衰手段を、前記主凹部の前端部分の、前記正面壁部に設けたこと。
　ｄ）前記減衰手段は、薄板と、該薄板を前記正面壁部の前記背面へ貼着する粘着剤ないし接着剤とを含む。
　　　【０００６】
　前記正面壁部の前記背面には、それら薄板及び粘着剤ないし接着剤を収容するための凹部を形成するようにしても良い。更に、前記アンダーカット凹部は、前記減衰手段の前記薄板の周縁部から離れて、前記上面と前記底面との両方へ向かって、また、前記トウと前記ヒールとへ向かって、前記主凹部と交わった部分から外方へ張り出すように形成し、それによって前記アンダーカット凹部が前記主凹部の境界にそって延在するようにしても良い。この構造は更に、前記本体部のうちの前記アンダーカット凹部より後方にある金属材料の部分の運動量が、このヘッドの周辺領域を介して前方へ、従って前記正面壁部及び前記フェイスへ伝達するのを僅かに遅らせるのに役立っている。尚、後に説明するように、スリットを設けることによって、ヘッドの周辺領域が局部的にのみ存在するようにしても良い。」と訂正する。
（５４）【発明の名称】
可聴振動を減衰させるゴルフクラブヘッド
（５７）【特許請求の範囲】
　　【請求項１】ヒールと、トウと、上面と、底面を画成しているソールと、上方後方へ傾斜したフェイスを画成している正面壁部と、を備えた本体部を有するゴルフクラブヘッドにおいて、
　ａ）前記本体部が主凹部を画成しており、該主凹部は、前方へ向かって窪んだ形状であって、前記正面壁部の背後に位置しており、
　ｂ）前記本体部が更にアンダーカット凹部を画成しており、該アンダーカット凹部は、
　　ｉ）前記上面と、
　　ｉｉ）前記底面と、
　　ｉｉｉ）前記トウと、
　　ｉｖ）前記ヒールと、
のうちの少なくとも１つへ向かって前記主凹部から外方へ張り出した形状であって、前記正面壁部の直後に位置しており、
　ｃ）前記正面壁部がゴルフボールと衝突するときに発生する可聴振動を減衰させるための減衰手段を、前記主凹部の前端部分の前記正面壁部に設け、
　ｄ）前記減衰手段が、薄板と、該薄板を前記正面壁部に貼着するための粘着剤ないし接着剤とを含んでいることを特徴とするゴルフクラブヘッド。
　　【請求項２】前記正面壁部が背面を有しており、前記減衰手段が該背面に取付けられて前記主凹部及び前記アンダーカット凹部へ完全に露出していることを特徴とする請求項１記載のゴルフクラブヘッド。
　　【請求項３】前記アンダーカット凹部が前記減衰手段の周囲に延在していることを特徴とする請求項１記載のゴルフクラブヘッド。
　　【請求項４】前記薄板が外周縁部を有しており、前記正面壁部の前記背面には浅く窪ませた凹部を形成してあり、該凹部に、前記薄板を、該薄板の前記外周縁部がぴったりと収まるようにして収容していることを特徴とする請求項２記載のゴルフクラブヘッド。
　　【請求項５】前記薄板が、幅広の中央部分と、夫々に略々前記ヘッドの前記トウと前記ヒールとへ向かって両側へ突出した２つのウイング部とを有することを特徴とする請求項２記載のゴルフクラブヘッド。
【発明の詳細な説明】
　　　【０００１】
　　【産業上の利用分野】
　本発明は、広くはゴルフクラブに関するものであり、より詳しくは、ゴルフボールにインパクトする際の可聴音の減衰や耐捩れ性、更にはストロークの際のゴルフボールヘの運動量の遅延伝達等々の利点を達成する、改良した構造のアイアンクラブに関するものである。
　　　【０００２】
　　【従来の技術及び発明が解決しようとする課題】
　これまでアイアンクラブのヘッドは、フラットバック構造から中空バック構造へと発展してきたが、本発明は、ヘッドのバック構造に更に改良を加えて、仮想的ヘッド拡大効果を達成すると共に、ヘッドがゴルフボールにインパクトする際に発生する可聴音を減衰させるものである。
　　　【０００３】
　アイアンクラブのヘッドの設計に際しては、ヘッドがゴルフボールにインパクトする際にヘッドからゴルフボールへ伝達されるエネルギをより大きくするための多くの努力が払われてきた。しかしながら、本発明者が知る限りでは、本発明が達成した新規にして独創的な方式で、ヘッドのフェイスとボールとが接触している非常に短い時間の間に運動量をボールへ遅延伝達させる方法は、これまで知られていなかった。また、そのようなエネルギの遅延伝達とヘッドの耐捩れ性とを後に説明するような方式で組合せる方法もこれまで知られていなかった。
　　　【０００４】
　更に、後に説明するように、重量を偏らせて配分する重点的重量配分の結果としてヘッドの正面壁部の周辺部分の剛性が低下している場合に、その正面壁部がゴルフボールにインパクトする際に発生する可聴音を減衰させる方法も、これまで知られていなかった。
　　　【０００５】
　　【課題を解決するための手段】
　本発明の主目的の１つは、アイアンクラブのストロークの際に運動量をボールへ遅延伝達したいという要望に応えることができ、可聴振動を減衰させることができ、更には、ヘッドの耐捩れ性を向上させることのできる、改良したアイアンクラブのヘッド構造を提供することにある。基本的に本発明は、ヘッドの金属製の本体部の構造として具体化されるものであり、その本体部は、ヘッドの正面壁部の後方に位置して互いに交わる２つの凹部を画成する。それら２つの凹部は、ヘッドのフェイスの周辺領域に近接した位置から該周辺領域の後方へ向かって突出した、ヘッドの金属材料から成る後方突出部によって画成される。このヘッドは、具体的には、例えば次の特徴を備えたものである。
　ａ）前記本体部が主凹部を画成しており、該主凹部は、前方へ向かって窪んだ形状であって、前記正面壁部の背後に位置していること。
　ｂ）前記本体部が更にアンダーカット凹部を画成しており、該アンダーカット凹部は、
　　ｉ）前記上面と、
　　ｉｉ）前記底面と、
　　ｉｉｉ）前記トウと、
　　ｉｖ）前記ヒールと、
のうちの少なくとも１つへ向かって前記主凹部から外方へ張り出した形状であって、前記正面壁部の直後に位置していること。
　ｃ）更に、前記正面壁部がゴルフボールと衝突するときに発生する可聴振動を減衰させるための減衰手段を、前記主凹部の前端部分の、前記正面壁部に設けたこと。
　ｄ）前記減衰手段は、薄板と、該薄板を前記正面壁部の前記背面へ貼着する粘着剤ないし接着剤とを含む。
　　　【０００６】
　前記正面壁部の前記背面には、それら薄板及び粘着剤ないし接着剤を収容するための凹部を形成するようにしても良い。更に、前記アンダーカット凹部は、前記減衰手段の前記薄板の周縁部から離れて、前記上面と前記底面との両方へ向かって、また、前記トウと前記ヒールとへ向かって、前記主凹部と交わった部分から外方へ張り出すように形成し、それによって前記アンダーカット凹部が前記主凹部の境界にそって延在するようにしても良い。この構造は更に、前記本体部のうちの前記アンダーカット凹部より後方にある金属材料の部分の運動量が、このヘッドの周辺領域を介して前方へ、従って前記正面壁部及び前記フェイスへ伝達するのを僅かに遅らせるのに役立っている。尚、後に説明するように、スリットを設けることによって、ヘッドの周辺領域が局部的にのみ存在するようにしても良い。
　　　【０００７】
　一般的には、後に詳述するように、前記アンダーカット凹部を形成することによって、前記正面壁部の周縁部のすぐ後方の部分ではヘッドの金属材料の肉厚が薄くなり、その場所にウェブ部が形成される。この場合、一般的には、前記アンダーカット凹部を、上方へは、ヘッドの長さ方向に亙って正面壁部のフェイスの上縁部の後方位置へ張り出すように形成し、下方へは、ヘッドの長さ方向に亙って正面壁部のフェイスの下縁部の後方位置へ張り出すように形成する。こうすることによっても、ヘッドの金属材料のうちの幾分かを、環状空間を形成しているアンダーカット凹部から後方へ突出した後方突出部に重点的に配分することが可能になるため、ヘッドの周辺重量化を強化して耐捩れ効果を高めることが可能になる。また、減衰手段を備えることによって、前記正面壁部が音を発生する傾向を部分的に、ただし大幅に低減することができる。
　　　【０００８】
　本発明の更なる目的は、後に詳述するように、アイアンクラブの傾斜したフェイスに対して略々平行な環状空間を成して延在するアンダーカット凹部を提供することにある。前述のスリットは、後に詳述するように、この環状空間へ向かって延在するように形成する。また、この環状空間の傾斜角は、例えば１番アイアン〜９番アイアンや各種のウェッジ類のように、様々なフェイス傾斜角を指定しているアイアン番号ごとに異なる。
　　　【０００９】
　本発明の更なる目的は、前記底面へ向かって張り出すように形成した前記アンダーカット凹部から後方へ突出した、前記底面と前記主凹部との間に位置する、上方へ厚くした後方突出部を備えたヘッドを提供することにある。また、このヘッドは更に、前記上面へ向かって張り出すように形成した前記アンダーカット凹部から後方へ突出した、前記上面と前記主凹部との間に位置する、下方へ厚くした後方突出部を備えたものとしても良い。
　　　【００１０】
　本発明の更なる目的は、複数のアイアンクラブから成るアイアンクラブセットを提供することにあり、このアイアンクラブセットにおいては、各アイアンクラブが、互いに交わる２つの凹部を備えると共に、後に詳述するように可聴振動の減衰機能を備えており、また、そのアイアンクラブのフェイス傾斜角の大小に関わらず、前記後方突出部が略々水平に延在しているようにしたものである。
　　　【００１１】
　　【実施例】
　以下に添付図面を参照しつつ本発明の実施例について説明して行く。先ず図１〜図３について説明すると、それらの図に示したゴルフクラブヘッド１０はアイアンクラブセットのうちの６番アイアンの形状のものである。このヘッド１０は本体部１１を有し、この本体部１１は、ヒール１２、トウ１３、上面１４、及びソール（底面）１５を画成している。ソール１５には、そのヘッド背面に近い側に、図示の如く、面取りを施したような形状の面１５ｃ’を形成してある。本体部１１は、更に、上方後方へ傾斜したフェイス１６を画成しており、このフェイス１６は、それに関連した正面壁部１７の前面側の面である。参照符号１８で示したホーゼルは、オフセット部１８ａを介してヘッド１０に一体に連なっており、このホーゼル１８に形成した貫通孔１８ｂの中に、図示の如くシャフト１９が挿入されている。シャフト１９は、適当な方法で貫通孔１８ｂに固定されており、ここで適当な方法としては、例えば接着剤を用いるという方法や、機械的に固定するという方法等がある。これに関しては例えば米国特許第５０４２８０６号を参照されたい。尚、同米国特許の開示はこの言及をもって本開示に組み込むものとする。ヘッド１０及びホーゼル１８は、金属材料を使用してワンピース構造の鋳造品として製作することができ、金属材料としては、スチールや、その他の金属材料ないし合金等を使用することができる。
　　　【００１２】
　本体部１１は、互いに交わった２つの凹部を画成している。それら２つの凹部は、本体部１１の、前後方向に細長い夫々の突出部に関係したものであり、それら突出部は、後に説明するように、ヘッド１０のフェイス１６の傾斜角の大きさにかかわらず一般的に後方へ向かって延在している。それら２つの凹部は、前後方向に延在している主凹部２１と、この主凹部２１の前端領域から外方へ張り出すように形成したアンダーカット凹部２２との２つであり、アンダーカット凹部２２は、
　　ｉ）上面１４と、
　　ｉｉ）底面（ソール）１５と、
　　ｉｉｉ）トウ部１３と、
　　ｉｖ）ヒール部１２と、
のうちの少なくとも３つへ向かって前記主凹部から外方へ張り出した形状に形成し、また、正面壁部１７の直後に位置するように形成する。
　　　【００１３】
　一般的には、アンダーカット凹部２２のうち、上面１４へ向かって張り出した部分１４ａと底面１５へ向かって張り出した部分１５ａとが、ヘッド１０の全長の大部分に亙ってトウ−ヒール方向に延在する細長い形状となるようにし、そうすることによって様々な利点が強化される。強化される利点のうちには、金属材料がヘッド１０の上縁部及び下縁部に重点配分されて後方突出部２４及び２５が形成されるため、クラブのストローク時、並びにボールヘのインパクト時の、ヘッドの対捩れ性が向上するということがある。このように金属材料が、アンダーカット部分１４ａ及び１５ａの後方に形成されている後方突出部２４及び２５を成して後方へ重点分配されるということは、ヘッド１０が前後方向に長くなると共に、ヘッド１０がその機能に関して外方へ広がる（拡大効果）ということに他ならず、これらのことは、金属材料の後方突出部２４及び２５から正面壁部１７及びフェイス１６への運動量の伝達を幾分なりとも遅延させていると考えられ、この運動量の遅延伝達によって、ストロークに際して、フェイス１６とボールとの接触時間がより長く維持され、打球のコントロールが改善される。
　　　【００１４】
　以上の効果は、フェイス１６から後方へ離隔してこのフェイス１６に対して略々平行に延在し、アンダーカット部１４ａと後方突出部２４の上面とに交わる、少なくとも１本の細長いスリットを設けることによって更に強化することができる。
　　　【００１５】
　前述の運動量の伝達は、前方進行波の形で視覚化し得るものであり、この運動量の伝達においては、運動量は必然的に、後方突出部分２４及び２５の薄肉の前方部分１４ｂ及び１５ｂと、トウに近い隅部５４及び５５と、ヒールに近い隅部５６及び５７とを経由して伝達することになり、そして、それら限られた狭い領域部分１４ｂ、１５ｂ、５４、５５、５６、５７を経由することによって生じる運動量ないし慣性力の伝達における遅延は、外方へ向かって窪んだ面を形成している１４ｃ及び１５ｃの部分や、アンダーカット部分１４ａ及び１５ａの外方領域を画成しているその他の同様の薄肉形状部分によって更に拡大される。このように打ったボールヘの運動量の伝達に遅延が導入されるために、ボールのストロークと、その方向コントロールとがより良好に行なわれるという点において、優れた性能が達成される。
　　　【００１６】
　アンダーカット凹部２２のうちの、ヒールへ向かって張り出した部分１２ａとトウへ向かって張り出した部分１３ａ、並びにそれらアンダーカット部分１２ａ及び１３ａを形成したためにもたらされた、隅部５４〜５７における、それらアンダーカット部分から後方へ及び機能的に外方への、金属材料の重点配分（即ち拡大効果）によって、それら隅部５４〜５７における、前述のアンダーカット部分１４ａ及び１５ａについて説明したのと同じ効果が増強されている。アンダーカット凹部２２の外方への張り出し量をＷ１（この張り出し量Ｗ１は図示の如く夫々の場所によって幾分異なる）とするとき、アンダーカット凹部２２の前後方向の厚さｔ１がこの張り出し量Ｗ１に対して、略々次の式に示す関係を成すようにしている。
　　０．５ｔ１＜Ｗ１＜１．５ｔ１
又、アンダーカット凹部の張り出し量を、ヒールとトウ付近で上方に向って次第に小さくしてある。
　　　【００１７】
　アンダーカット凹部２２の張り出した先端部の曲率半径１４ｃ及び１５ｃは、１番アイアン〜７番アイアンでは０．１５０インチ（約３．８ｍｍ）〜０．１６０インチ（約４．１ｍｍ）とし、８番アイアン及び９番アイアンでは０．２１０インチ（約５．３ｍｍ）〜０．２３インチ（約５．８ｍｍ）とし、そして、ピッチングウェッジでは０．３００インチ（約７．６ｍｍ）〜０．３２０インチ（約８．１ｍｍ）とするのが一般的である。ただし、幾分これらと異なった寸法にしても良い。
　　　【００１８】
　更には、トウへ向かって張り出しているアンダーカット部分１３ａから後方へ延出している後方突出部２７と、ヒールへ向かって張り出しているアンダーカット部分１２ａから後方へ延出している後方突出部２６とは、厚さ方向の寸法と比べて後方突出寸法の方が大きい。そのため図示のように、金属材料がそれら後方突出部２６、２７に重点配分され、ヘッド１０の全体としての鉛直方向の寸法を増大させることなく前述の効果が高められている。
　　　【００１９】
　更に、主凹部２１の、内隅部２９と３０との間の寸法は、それら内隅部２９、３０から外方へ張り出したアンダーカット部分１４ａ及び１５ａの各々の張り出し寸法の少なくとも３倍にするようにしている。後方突出部２４の内側面３２と後方突出部２５の内側面３３とはいずれも、ヘッドの前後方向には略々平坦な形状であるが、ただし、それら内側面３２、３３は、それらに対応した、後方突出部２６の湾曲した内側面３４及び後方突出部２７の湾曲した内側面３５と共に、環状空間を画成しており、即ち、それら内側面３２、３３、３４、３５は、「スイートスポット」を包含するフェイス１６の主要面領域の輪郭を成して環状に延在している。全てのアンダーカット部分１２ａ、１３ａ、１４ａ及び１５ａも、それら内側面３２〜３５に対応した環状の構造を画成するようにしておくことが好ましい。
　　　【００２０】
　アイアンクラブセットの中の、１番アイアン〜５番アイアンや７番アイアン〜９番アイアンも、フェイスの角度を異ならせる以外は図示の６番アイアンと同一構造で構成することができ、従ってアイアンクラブセットの中のどのアイアンにも本発明を適用することができる。
　　　【００２１】
　次に図１、図２、図４及び図５について説明すると、正面壁部１７にはフェイス１６がボールに衝突したときに発生する可聴振動を減衰させるための減衰手段を設けてあり、この減衰手段は、主凹部２１の前端部分に位置している。
　　　【００２２】
　一般的には、この減衰手段を正面壁部１７の背面１７ａに取付けて、この減衰手段が主凹部２１とアンダーカット凹部２２との両方へ完全に露出するようにしており、また、アンダーカット凹部２２が、この減衰手段から離隔してこの減衰手段の周囲に延在するようにしている。この減衰手段の具体例は、図示の如く、薄板４５０（図５参照）と、この薄板４５０を正面壁部１７の背面１７ａに貼着する粘着剤ないし接着剤の薄層４５１とから成るものである。図６に示したように、粘着剤ないし接着剤の薄層４５１は、例えば、テープ基材４５１ａの両面に粘着剤層４５１ｂ、４５１ｃを形成した両面粘着テープ４５１とし、この両面粘着テープ４５１を、薄板４５０と正面壁部１７の背面１７ａとに貼着するようにすれば良い。
　　　【００２３】
　正面壁部１７の背面１７ａには、図示の如く浅く窪ませた凹部１７ａ’を形成してあり、この凹部１７ａ’の中に、粘着テープ４５１及び薄板４５０を、それらの外周縁部がぴったりと収まるようにして収容している。正面壁部１７の背面１７ａには更に、粘着テープ４５１及び薄板４５０の外周縁部にそった形状の、後方へ浮き出させた突条部４５４を形成してある。薄板４５０並びに粘着テープ４５１は、互いに同形状の中央平坦部４５０ｄ及び４５１ｄを有すると共に、そこから両側へ、即ちヒール側とトウ側とへ延出した、薄板４５０の２つのウイング部４５０ｅ及び４５０ｆと、それに対応した粘着テープ４５１の２つのウイング部４５１ｅ及び４５１ｆとを有する。薄板４５０並びに粘着テープ４５１の全体は、ヘッドの正面壁部１７の背面１７ａと略々同一平面上に位置しており、正面壁部１７と共に前後方向に振動することによって正面壁部１７の振動を減衰させる。薄板４５０が後方へ突出している部分の面積（即ち、薄板４５０の面積）は、この薄板４５０に平行な平面で切断した主凹部２１の断面積の２５％〜７５％に相当する面積になるようにしている。更にこの薄板４５０の面積は、主凹部２１とアンダーカット凹部２２との両方によって画成されている、正面壁部１７の背面１７ａの面積の２０％〜６５％になるようにしている。
　　　【００２４】
　一般的には、薄板４５０は、金属製の板とするようにしており、例えばアルミニウム板等を使用することができる。アルミニウム板を使用した場合の寸法の例を挙げると、例えば厚さを０．０２インチ（約０．５ｍｍ）〜０．０５インチ（約１．３ｍｍ）とし、総面積を０．３５平方インチ（約２．３ｃｍ２）〜０．７５平方インチ（約４．８ｃｍ２）とすることができる。また、粘着テープ４５１の具体例を挙げるならば、例えばそのテープ基材４５１ａは紙製とし、粘着剤はエポキシ樹脂から成るものとすることができる。
　　　【００２５】
　薄板４５０には、その表面にマーク４７０を付けて、主凹部２１の奥にそのマーク４７０が見えるようにしておいても良い。この場合には例えば、マークを記した転写紙を薄板４５０に貼り付けるようにすれば良い（図６参照）。
【図面の簡単な説明】
　【図１】
　本発明を組み込んだゴルフクラブセットのうちの６番アイアンのヘッドの背面図である。
　【図２】
　図１の２−２線に沿った断面図である。
　【図３】
　図１の３−３線に沿った断面図である。
　【図４】
　図１に示したヘッドの上面図である。
　【図５】
　図２と同様の垂直断面図であるが、ただし一部分を拡大して示した断面図である。
　【図６】
　図５を更に拡大して、ヘッドに取付けた薄板とその粘着手段とを示した断面図である。
　【符号の説明】
　１０　ゴルフクラブヘッド
　１１　本体部
　１２　ヒール
　１３　トウ
　１４　上面
　１５　底面（ソール）
　１６　フェイス
　１７　正面壁部
　２１　主凹部
　２２　アンダーカット凹部
　４５０　薄板
　４５１　粘着テープ